(57)【要約】【課題】講師用パソコンを受講者用パソコンに速やかに接続することができ、レッスン開始時間にレッスンを直ちに始めることができるレッスン受講システムを提供する。【解決手段】レッスン受講システム１０は、講師が使用する講師用パソコン１１と、レッスンを受講する受講者が使用する受講者用パソコン１２と、各種レッスンの予約を管理する管理サーバ１３とから形成されている。管理サーバ１１は、予約されたレッスンに使用される受講者用パソコン１２を特定し、特定した受講者用パソコン１２のＩＰアドレスを講師用パソコン１１に送信する。講師用パソコン１１は、管理サーバ１３から送信されたＩＰアドレスを使用し、管理サーバ１３によって特定された受講者用パソコン１２にインターネットを介して接続する。レッスン受講システム１０では、特定の受講者用パソコン１２と講師用パソコン１１との間で音声および映像を双方向に送受信しつつレッスンを実施する。【選択図】図１
2018081477.tif 000002
【特許請求の範囲】
【請求項１】
各種のレッスンを教授する講師が使用する講師用通信端末と、前記講師用通信端末とは異なる場所に設置されてそれらレッスンを受講する多数の受講者が使用する複数の受講者用通信端末と、それら通信端末がインターネットを介して接続可能であって各種レッスンの予約を管理する管理サーバとから形成され、前記インターネットを介して接続されたそれら通信端末が前記講師と前記受講者との音声および映像を双方向に送受信しつつ前記レッスンを実施するレッスン受講システムにおいて、
前記管理サーバが、前記受講者から所定のレッスンの予約があった場合、予約されたレッスンに使用される前記受講者用通信端末を特定する通信端末特定手段と、前記通信端末特定手段によって特定した受講者用通信端末のアドレスを前記講師用通信端末に送信するアドレス送信手段とを有し、
前記講師用通信端末が、前記アドレス送信手段によって前記管理サーバから送信されたアドレスを使用し、前記通信端末特定手段によって特定された受講者用通信端末にインターネットを介して接続する通信端末接続手段を有し、
前記レッスン受講システムでは、前記通信端末接続手段によって前記講師用通信端末に接続された特定の受講者用通信端末と該講師用通信端末との間で前記音声および映像を双方向に送受信しつつ前記レッスンを実施することを特徴とするレッスン受講システム。
【請求項２】
前記レッスンの予約では、前記受講者がレッスンの受講場所と受講日時と担当講師とを決定し、前記通信端末特定手段が、前記レッスンの決定された受講場所に設置された前記受講者用通信端末を特定し、前記アドレス送信手段が、前記レッスンの決定された担当講師が使用する講師用通信端末に前記通信端末特定手段によって特定された受講者用通信端末のアドレスを送信し、前記通信端末接続手段では、前記担当講師が使用する講師用通信端末が前記レッスンの決定された受講日時における受講時間前に前記アドレスを使用して特定の受講者用通信端末にインターネットを介して接続する請求項１に記載のレッスン受講システム。
【請求項３】
前記レッスンの予約では、前記受講者がレッスンの受講日時と担当講師とを決定し、前記通信端末特定手段が、前記レッスンの決定された受講日時における該レッスンの受講場所を割り当てつつ、割り当てた受講場所に設置された前記受講者用通信端末を特定し、前記アドレス送信手段が、前記レッスンの決定された担当講師が使用する講師用通信端末に前記通信端末特定手段によって特定された受講者用通信端末のアドレスを送信し、前記通信端末接続手段では、前記担当講師が使用する講師用通信端末が前記レッスンの決定された受講日時における受講時間前に前記アドレスを使用して特定の受講者用通信端末にインターネットを介して接続する請求項１に記載のレッスン受講システム。
【請求項４】
前記レッスンの受講場所が、カラオケボックスの各個室と個別指導塾の各ブースとのうちの少なくとも一方である請求項１または請求項２に記載のレッスン受講システム。
【発明の詳細な説明】
【技術分野】
【０００１】
本発明は、講師と受講者との音声および映像を双方向に送受信しつつレッスンを実施するレッスン受講システムに関する。
【背景技術】
【０００２】
英会話やその他の習い事、高校受験の各科目の授業、各種資格試験受験対策等の各種のレッスン（授業）を行うスクールや教室、個別指導塾等の受験機関が存在する。それら受験機関では、本校（本部）に在勤する講師が各地域に設立された地域校（分校）に来校した受講者（受講生）にインターネットを利用した双方向通信方式の生レッスン（生講義）を行う場合がある。双方向通信方式の生レッスンでは、講師が使用するパソコンと受講者が使用するパソコンとがインターネットを介して接続され、それらパソコンが講師と受講者との音声および映像を双方向に送受信することでレッスンが進められる。
【０００３】
レッスンの予約日時に所定のレッスン校に来校した受講者が指定のブースに設置されたパソコンにＩＤパスワードを入力し、ＩＤパスワードによる本人認証の結果が可である場合、そのパソコンが管理サーバにログインする。一方、本校に在勤する講師がパソコンにＩＤパスワードを入力しつつブースに設置されたパソコンへの接続を要求すると、ＩＤパスワードによる本人認証の結果が可である場合、そのパソコンが管理サーバにログインするとともにブースに設置されたパソコンにインターネットを介して接続され、その状態で双方向通信方式のレッスンが開始される。
【０００４】
なお、レッスンを提供するシステムとして、利用者が携帯する利用者端末においてレッスンを開始するように依頼する開始依頼信号を受信する依頼受信部と、依頼受信部によって受信された開始依頼信号に対応する利用者のレッスンにおけるレベルに基づいて、レッスンを担当する講師を選定する講師選定部と、講師選定部により選定された講師に対応する講師用端末に対し、講師を依頼するための講師依頼信号を送信する依頼送信部と、依頼送信部によって送信された講師依頼信号に応答した講師用端末と利用者端末とを通話可能な状態にする通話制御部とを備えたレッスン提供システムが開示されている（特許文献１参照）。
【先行技術文献】
【特許文献】
【０００５】
【特許文献１】特開２０１４−１０６７９５号公報
【発明の概要】
【発明が解決しようとする課題】
【０００６】
双方向通信方式のレッスンでは、受講者と講師との両者がＩＤパスワードをパソコンに入力し、ＩＤパスワードによる本人認証を行って認証結果が可である場合にそれらパソコンが接続されて双方向のレッスンが開始されるから、各受講者に独自のＩＤパスワードを割り当てる手間を要するのみならず、各レッスン毎にＩＤパスワードによる認証手続きが必要となり、その分の手間を要する。また、受講者が認証手続きを完了するまでレッスンを開始することができないから、受講者が認証手続きに手間取り、認証手続きがレッスン開始時間までに完了しない場合、認証時間がレッスン時間に食い込んでレッスン時間が認証時間に浸食され、レッスン時間が短縮されてレッスン時間のすべてをレッスンに充当することができない場合がある。
【０００７】
本発明の目的は、ＩＤパスワードの割り当てやＩＤパスワードによる認証手続き等の手間を要せず、講師用通信端末を受講者用通信端末に速やかに接続することができ、レッスン開始時間にレッスンを直ちに始めることができるレッスン受講システムを提供することにある。本発明の他の目的は、レッスン時間の短縮を防ぐことができ、レッスン時間のすべてをレッスンに充当することができるレッスン受講システムを提供することにある。
【課題を解決するための手段】
【０００８】
前記課題を解決するための本発明の前提は、各種のレッスンを教授する講師が使用する講師用通信端末と、講師用通信端末とは異なる場所に設置されてそれらレッスンを受講する多数の受講者が使用する複数の受講者用通信端末と、それら通信端末がインターネットを介して接続可能であって各種レッスンの予約を管理する管理サーバとから形成され、インターネットを介して接続されたそれら通信端末が講師と受講者との音声および映像を双方向に送受信しつつレッスンを実施するレッスン受講システムである。
【０００９】
前記前提における本発明の特徴は、管理サーバが、受講者から所定のレッスンの予約があった場合、予約されたレッスンに使用される受講者用通信端末を特定する通信端末特定手段と、通信端末特定手段によって特定した受講者用通信端末のアドレスを講師用通信端末に送信するアドレス送信手段とを有し、講師用通信端末が、アドレス送信手段によって管理サーバから送信されたアドレスを使用し、通信端末特定手段によって特定された受講者用通信端末にインターネットを介して接続する通信端末接続手段を有し、レッスン受講システムでは、通信端末接続手段によって講師用通信端末に接続された特定の受講者用通信端末と講師用通信端末との間で音声および映像を双方向に送受信しつつレッスンを実施することにある。
【００１０】
本発明の一例として、レッスンの予約では、受講者がレッスンの受講場所と受講日時と担当講師とを決定し、通信端末特定手段がレッスンの決定された受講場所に設置された受講者用通信端末を特定し、アドレス送信手段がレッスンの決定された担当講師が使用する講師用通信端末に通信端末特定手段によって特定された受講者用通信端末のアドレスを送信し、通信端末接続手段では、担当講師が使用する講師用通信端末がレッスンの決定された受講日時における受講時間前にアドレスを使用して特定の受講者用通信端末にインターネットを介して接続する。
【００１１】
本発明の他の一例として、レッスンの予約では、受講者がレッスンの受講日時と担当講師とを決定し、通信端末特定手段がレッスンの決定された受講日時におけるレッスンの受講場所を割り当てつつ割り当てた受講場所に設置された受講者用通信端末を特定し、アドレス送信手段がレッスンの決定された担当講師が使用する講師用通信端末に通信端末特定手段によって特定された受講者用通信端末のアドレスを送信し、通信端末接続手段では、担当講師が使用する講師用通信端末がレッスンの決定された受講日時における受講時間前にアドレスを使用して特定の受講者用通信端末にインターネットを介して接続する。
【００１２】
本発明の他の一例としては、レッスンの受講場所がカラオケボックスの各個室と個別指導塾の各ブースとのうちの少なくとも一方である。
【発明の効果】
【００１３】
本発明に係るレッスン受講システムによれば、受講者から所定のレッスンの予約があった場合、管理サーバが予約されたレッスンに使用される受講者用通信端末を特定するとともに、特定した受講者用通信端末のアドレスを講師用通信端末に送信し、講師用通信端末が管理サーバから送信されたアドレスを使用しつつ特定の受講者用通信端末にインターネットを介して接続するから、ＩＤパスワードによる本人認証を行うことなく、講師用通信端末と特定の受講者用通信端末とがインターネットを介して接続され、ＩＤパスワードの割り当てやＩＤパスワードによる認証手続き等の手間を要せず、講師用通信端末を受講者用通信端末に速やかに接続することができ、レッスン開始時間にレッスンを直ちに始めることができる。レッスン受講システムは、認証手続きが不要であり、レッスン時間が認証時間に浸食されることがないから、レッスン時間の短縮を防ぐことができ、レッスン時間のすべてをレッスンに充当することができるとともに、受講者全員に費用に見合ったレッスンを提供することができる。
【００１４】
レッスンの予約において、受講者がレッスンの受講場所と受講日時と担当講師とを決定し、レッスンの決定された受講場所に設置された受講者用通信端末を特定するとともに、レッスンの決定された担当講師が使用する講師用通信端末に特定の受講者用通信端末のアドレスを送信し、講師用通信端末がレッスンの受講日時における受講時間前にそのアドレスを使用して特定の受講者用通信端末にインターネットを介して接続するレッスン受講システムは、受講者によって決定された受講場所に設置された受講者用通信端末のアドレスを使用し、講師用通信端末が特定の受講者用通信端末にインターネットを介して接続するから、ＩＤパスワードの割り当てやＩＤパスワードによる認証手続き等の手間を要せず、講師用通信端末を受講者用通信端末に速やかに接続することができ、レッスン開始時間にレッスンを直ちに始めることができる。レッスン受講システムは、講師用通信端末がレッスンの受講日時における受講時間前にアドレスを使用して特定の受講者用通信端末に接続し、レッスン開始時間にレッスンを直ちに開始することができるから、レッスン時間の短縮を防ぐことができ、レッスン時間のすべてをレッスンに充当することができる。
【００１５】
レッスンの予約において、受講者がレッスンの受講日時と担当講師とを決定し、レッスンの決定された受講日時におけるレッスンの受講場所を割り当て、割り当てた受講場所に設置された受講者用通信端末を特定するとともに、レッスンの決定された担当講師が使用する講師用通信端末に特定の受講者用通信端末のアドレスを送信し、講師用通信端末がレッスンの受講日時における受講時間前にそのアドレスを使用して特定の受講者用通信端末にインターネットを介して接続するレッスン受講システムは、受講者によって決定された受講日時において割り当てられたレッスンの受講場所に設置された受講者用通信端末のアドレスを使用し、講師用通信端末が特定の受講者用通信端末にインターネットを介して接続するから、ＩＤパスワードの割り当てやＩＤパスワードによる認証手続き等の手間を要せず、講師用通信端末を受講者用通信端末に速やかに接続することができ、レッスン開始時間にレッスンを直ちに始めることができる。レッスン受講システムは、講師用通信端末がレッスンの受講日時における受講時間前にアドレスを使用して特定の受講者用通信端末に接続し、レッスン開始時間にレッスンを開始することができるから、レッスン時間の短縮を防ぐことができ、レッスン時間のすべてをレッスンに充当することができる。
【００１６】
レッスンの受講場所がカラオケボックスの各個室と個別指導塾の各ブースとのうちの少なくとも一方であるレッスン受講システムは、レッスンの受講場所であるカラオケボックスの各個室や個別指導塾の各ブースに設置された受講者用通信端末を特定するとともに、レッスンの担当講師が使用する講師用通信端末に特定の受講者用通信端末のアドレスを送信し、講師用通信端末がそのアドレスを使用して特定の受講者用通信端末にインターネットを介して接続するから、ＩＤパスワードの割り当てやＩＤパスワードによる認証手続き等の手間を要せず、講師用通信端末を受講者用通信端末に速やかに接続することができ、レッスン開始時間にカラオケボックスの各個室や個別指導塾の各ブースにおいてレッスンを直ちに始めることができる。
【図面の簡単な説明】
【００１７】
【図１】レッスン受講システムのシステム構成図。
【図２】レッスン予約画面の一例を示す図。
【図３】講師・受講場所選択画面の一例を示す図。
【図４】受講日時選択画面の一例を示す図。
【図５】予約完了画面の一例を示す図。
【発明を実施するための形態】
【００１８】
レッスン受講システム１０のシステム構成図である図１等の添付の図面を参照し、本発明に係るレッスン受講システムの詳細を説明すると、以下のとおりである。なお、図２は、レッスン予約画面の一例を示す図であり、図３は、講師・受講場所選択画面の一例を示す図である。図４は、受講日時選択画面の一例を示す図であり、図５は、予約完了画面の一例を示す図である。
【００１９】
レッスン受講システム１０は、所定の講師と所定の受講者との音声および映像を双方向に送受信しつつレッスンを実施する。なお、レッスンとしてカラオケボックスの各個室や個別指導塾の各ブースで英会話のレッスンを受ける場合を例としてレッスン受講システム１０を説明する。レッスンには、英会話の他に、その他の習い事、高校受験の各科目の授業、各種資格試験受験対策等のあらゆるレッスンが含まれる。
【００２０】
英会話のレッスン（授業）を受けることを希望する受講者は、レッスン受講システム１０を管理・提供する事業者（管理会社）と事前に受講契約を結び、事業者（管理会社）に入会金を支払っている。また、レッスンを受講するたびに受講料を支払う。受講契約を結んだ受講者には、事業者（管理会社）から所定の会員番号およびＩＤ番号が付与され、会員証が発行されている。受講者が保持するパソコンやタブレット、スマートフォンには、後記する管理サーバ１３のＵＲＬを示す受講アイコンが送信される。
【００２１】
レッスン受講システム１０は、英会話のレッスン（授業）を教授する各講師が使用する複数の講師用パソコン１１（講師用通信端末）と、英会話のレッスンを受講する多数の受講者が使用する複数の受講者用パソコン１２（受講者用通信端末）と、英会話のレッスンの予約を管理する管理サーバ１３とから形成されている。英会話のレッスンは講師用パソコン１１および受講者用パソコン１２を使用して行われるが、受講者はパソコン１２の他にタブレットやスマートフォンを使用して英会話のレッスンを受けることもできる。
【００２２】
それら講師用パソコン１１は、英会話のレッスンを提供する個別指導塾の本校（本部）に設置されている。各講師は、本校に在勤し、本校において英会話のレッスンを教授する。各講師には、それら講師が使用する各講師専用の講師用パソコン１１が個別に割り当てられている。なお、各講師が本校のみならず、本校とは別の地域に設立された地域校（分校）に在勤し、地域校において英会話のレッスンを教授する場合もある。それら講師用パソコン１２には、管理サーバ１３のＵＲＬを示すレッスンアイコンが送信されている。
【００２３】
それら受講者用パソコン１２は、本校（講師用パソコン１１）とは別の地域に施設されたカラオケボックスの各個室、本校（講師用パソコン１１）とは別の地域に設立された地域校（分校）の各ブースに設置されている。カラオケボックスの各個室に設置された受講者用パソコン１２は、それら個室専用に割り当てられ、各個室のみで使用される。地域校の各ブースに設置された受講者用パソコン１２は、それらブース専用に割り当てられ、各ブースのみで使用される。管理サーバ１３は、レッスン受講システム１０を管理・提供する事業者（管理会社）が契約するデータセンター（クラウドを含む）に設置されている。なお、管理サーバ１３がシステム１０を管理・提供する事業者（管理会社）の社内に設置される場合があり、または、管理サーバ１３が個別指導塾の本校に設置される場合がある。
【００２４】
それら講師用パソコン１１やそれら受講者用パソコン１２、管理サーバ１３（仮想サーバを含む）は、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶領域（大容量ハードディスク等）を実装している。講師用パソコン１１やそれら受講者用パソコン１２、管理サーバ１３には、図示はしていないが、キーボードやマウス等の入力装置、ディスプレイやプリンタ等の出力装置がインターフェイスを介して接続されている。講師用パソコン１１や受講者用パソコン１２には、図示はしていないが、ｗｅｂカメラやヘッドセット（マイク／スピーカー）が接続されている。
【００２５】
それら講師用パソコン１１やそれら受講者用パソコン１２、管理サーバ１３は、ＤＮＳサーバ機能、データベースサーバ機能、Ｗｅｂサーバ機能、メールサーバ機能、ドキュメントサーバ機能の各種サーバ機能を有し、インターネット１４に接続された各種複数のＤＮＳサーバ等を経由しつつ、インターネット１４を利用してアクセス制限がない不特定多数の他のあらゆるサーバ（物理サーバや仮想サーバ）にアクセスかつログインすることができるとともに、インターネット１４において各種検索エンジンを利用することができる。
【００２６】
それら講師用パソコン１１やそれら受講者用パソコン１２、管理サーバ１３は、インターネット１４を介して互いに接続される。それら講師用パソコン１１やそれら受講者用パソコン１２は、管理サーバ１３のＵＲＬを使用してサーバ１３にアクセスかつログインすることができるとともに、インターネット１４を利用して各種データをサーバ１３を含む他の複数の外部サーバに提供することができ、インターネット１４を利用して各種データをサーバ１３を含む他の複数の外部サーバから受け取ることができる。
【００２７】
それら講師用パソコン１１やそれら受講者用パソコン１２、管理サーバ１３には、電子メールの送受信や電子メールの管理を行う電子メールクライアントが格納されている。それら講師用パソコン１１やそれら受講者用パソコン１２、管理サーバ１３は、入力した所定の文字データや画像データを電子メールによって外部に送信することができる。なお、講師用パソコン１１や受講者用パソコン１２、管理サーバ１３がＬＡＮやＷＡＮ等の他のネットワークによって接続される場合もある。
【００２８】
それら講師用パソコン１１やそれら受講者用パソコン１２には、それらパソコン１１，１２を特定する端末特定情報が格納されている。端末特定情報としては、講師用パソコン１１や受講者用パソコン１２のメールアドレス、Ｃｏｏｋｉｅ情報、固体識別番号等を利用することができる他、講師用パソコン１１や受講者用パソコン１２がそれらパソコン１１，１２を識別するユニークな識別子を独自に生成し、生成した識別子を端末特定情報にすることもできる。
【００２９】
管理サーバ１３の記憶領域には、それら講師用パソコン１１の端末特定情報が記憶（格納）され、それら講師用パソコン１１のＩＰアドレス（アドレス）およびそれら講師用パソコン１１を使用する講師の講師特定情報が講師用パソコン１１の端末特定情報に関連付けられた状態で記憶されている。講師特定情報には、ＩＤ番号やパスワード、講師番号、講師の氏名（法人名や個人名）、講師の住所、講師の電話番号、講師のＦＡＸ番号、年齢、性別、メールアドレス等がある。
【００３０】
管理サーバ１３の記憶領域には、個別指導塾の地域校の校名が地域校の地域校識別情報に関連付けられた状態で記憶（格納）され、個別指導塾の地域校（分校）の各ブースのブース番号がブース識別情報および地域校識別情報に関連付けられた状態で記憶されている。さらに、各ブースに設置されたそれら受講者用パソコン１２のパソコン番号およびそれら受講者用パソコン１２のＩＰアドレス（アドレス）が端末特定情報、ブース識別情報、地域校識別情報に関連付けられた状態で記憶（格納）されている。
【００３１】
管理サーバ１３の記憶領域には、カラオケボックスの店名がカラオケボックスのボックス識別情報に関連付けられた状態で記憶（格納）され、カラオケボックスの各個室の個室番号が個室識別情報およびボックス識別情報に関連付けられた状態で記憶されている。さらに、各個室に設置されたそれら受講者用パソコン１２のパソコン番号およびそれら受講者用パソコン１２のＩＰアドレス（アドレス）が端末特定情報、個室識別情報、ボックス識別情報に関連付けられた状態で記憶されている。
【００３２】
管理サーバ１３の記憶領域には、英会話の各レッスンを表すレッスン番号（レッスン識別情報）が端末特定情報、ブース識別情報、地域校識別情報に関連付けられた状態で記憶されている。さらに、各レッスンの実施日および時間割（時間表）がレッスン番号、端末特定情報、ブース識別情報、地域校識別情報に関連付けられた状態で記憶されている。管理サーバ１３の記憶領域には、受講契約を結んだ受講者（会員）の個人特定情報が会員番号に関連付けられた状態で記憶されている。個人特定情報には、ＩＤ番号やパスワード、受講者の氏名（法人名や個人名）、受講者の住所、受講者の電話番号、受講者のＦＡＸ番号、年齢、性別、メールアドレス等がある。
【００３３】
受講者が英会話のレッスンを申し込む手順の一例は、以下のとおりである。なお、個別指導塾の地域校（分校）の各ブースにおいて英会話のレッスンを受講する場合を例として申し込み手順を説明する。レッスン予約の一例では、受講者がレッスンの受講場所と受講日時と担当講師とを決定する。受講者は、自己が保持するパソコンやタブレット、スマートフォンを利用し、パソコンのディスプレイ、タブレットやスマートフォンのタッチパネルに表示された受講アイコン（管理サーバのＵＲＬを示すアイコン）をクリック（タップ）する。受講アイコンをクリック（タップ）すると、パソコンやタブレット、スマートフォンがインターネット１４を介して管理サーバ１３に接続され、図２に示すレッスン予約画面がパソコンやタブレット、スマートフォンのディスプレイやタッチパネルに表示される。
【００３４】
図２のレッスン予約画面には、ＩＤ番号入力エリア２ａ、パスワード入力エリア２ｂ、ＯＫボタン２ｃが表示される。受講者は、ＩＤ番号入力エリア２ａにＩＤ番号を入力し、パスワード入力エリア２ｂにパスワードを入力した後、ＯＫボタン２ｃをクリック（タップ）する。ＩＤ番号やパスワードが正確な場合、パソコンやタブレット、スマートフォンのディスプレイやタッチパネルには、図３に示す講師・受講場所選択画面が表示される。
【００３５】
図３の講師・受講場所選択画面には、講師選択エリア３ａ、受講場所選択エリア３ｂ、ＯＫボタン３ｃが表示される。講師選択エリア３ａには、講師名およびチェックボックスを表示したプルダウンリストが表示され、受講場所選択エリア３ｂには、受講教室名（パソコン番号、ブース番号）およびチェックボックスを表示したプルダウンリストが表示される（カラオケボックスでは、店名、パソコン番号、個室番号）。受講者は、講師選択エリア３ａに表示された講師のうちの希望の講師のチェックボックスにチェックマークを入れ、受講場所選択エリア３ｂに表示された受講場所のうちの希望の受講場所（教室）のチェックボックスにチェックマークを入れた後、ＯＫボタン３ｃをクリック（タップ）する。
【００３６】
ＯＫボタン３ｃをクリック（タップ）すると、図４に示す受講日時選択画面がパソコンやタブレット、スマートフォンのディスプレイやタッチパネルに表示される。図４の受講日時選択画面には、選択した受講場所（教室）において行われるレッスンの時間割（日時）とレッスンの空き状況（予約可能時間）とを表示したカリキュラム４ａと、予約確認画面に進むボタン４ｂとが表示される。受講者は、レッスンの受講が可能な予約可能時間にチェックマークを入れた後（複数チェック可）、予約確認画面に進むボタン４ｂをクリック（タップ）する。
【００３７】
予約確認画面に進むボタン４ｂをクリック（タップ）すると、図示はしていないが、予約確認画面がパソコンやタブレット、スマートフォンのディスプレイやタッチパネルに表示される。予約確認画面には、講師名、教室名（受講場所）、パソコン番号、レッスンを予約した日時、予約をするボタンが表示される。受講者が講師名、教室名（受講場所）、パソコン番号、レッスン日時を確認した後、予約をするボタンをクリック（タップ）すると、パソコンやタブレット、スマートフォンは、予約をした日時および受講場所を管理サーバ１３に送信する。
【００３８】
管理サーバ１３は、パソコンやタブレット、スマートフォンから予約日時、受講場所（受講教室名、パソコン番号、ブース番号）を受信した後、図５に示す予約完了画面をパソコンやタブレット、スマートフォンのディスプレイやタッチパネルに表示する。図５の予約完了画面には、予約日時、講師名、受講教室名（パソコン番号、ブース番号）、予約受付メッセージが表示される。
【００３９】
レッスン予約の他の一例では、受講者がレッスンの受講日時と担当講師とを決定する。受講者が図２に示すレッスン予約画面においてＩＤ番号とパスワードとを入力し、ＯＫボタン２ｃをクリック（タップ）すると、図示はしていないが、講師選択画面がパソコンやタブレット、スマートフォンのディスプレイやタッチパネルに表示される。講師選択画面には、講師選択エリア、ＯＫボタンが表示される。講師選択エリアには、講師名およびチェックボックスを表示したプルダウンリストが表示される。受講者は、講師選択エリアに表示された講師のうちの希望の講師のチェックボックスにチェックマークを入れた後、ＯＫボタンをクリック（タップ）する。
【００４０】
ＯＫボタンをクリック（タップ）すると、管理サーバ１３は、決定した受講日時に決定した講師によって行われる英会話のレッスンの地域校（分校）の受講教室（パソコン番号、ブース番号）（カラオケボックスでは、店名、パソコン番号、個室番号）（レッスンの受講場所）を割り当てる。管理サーバ１３は、受講教室を割り当てた後、図４の受講日時選択画面をパソコンやタブレット、スマートフォンのディスプレイやタッチパネルに表示する。その後の予約手順は図４，５において説明したそれと同一である。
【００４１】
管理サーバ１３は、予約日時、受講場所（受講教室名、パソコン番号、ブース番号）を予約をした受講者の会員番号（ＩＤ番号やパスワードを含む場合もある）および受付日時に関連付けた状態で記憶領域に記憶するとともに、受講教室名やパソコン番号、ブース番号から受講教室名（地域校識別情報）およびブース番号（ブース識別情報）に示す受講教室のブースに設置されたパソコン番号（端末特定情報）の受講者用パソコン（予約されたレッスンの受講場所に設置された受講者用通信端末）を特定する（通信端末特定手段）。
【００４２】
管理サーバ１３は、特定した受講者用パソコン１２のＩＰアドレス（アドレス）を特定し、受講者から指定（決定）された講師名からその講師が専用に使用する講師用パソコン１１を特定するとともに、その講師用パソコン１１のＩＰアドレス（アドレス）を特定する。管理サーバ１３は、特定した受講者用パソコン１２のパソコン番号（端末特定情報）、特定した受講者用パソコン１２のＩＰアドレス（アドレス）を受講場所（受講教室名（地域校識別情報）、パソコン番号（端末特定情報）、ブース番号（ブース識別情報））に関連付けた状態で記憶領域に記憶する。管理サーバ１３は、特定した講師用パソコン１１のパソコン番号（端末特定情報）、特定した講師用パソコン１１のＩＰアドレス（アドレス）を受講場所（受講教室名（地域校識別情報）、パソコン番号（端末特定情報）、ブース番号（ブース識別情報））に関連付けた状態で記憶領域に記憶する。
【００４３】
講師が英会話のレッスンを行う一例は、以下のとおりである。なお、個別指導塾の本校と地域校（分校）の各ブースとにおいて英会話のレッスンが行われる場合を例とする。本校に出勤した講師は、自己が使用する講師用パソコン１１を起動させ、レッスンアイコン（管理サーバ１３のＵＲＬを示すアイコン）をクリックする。レッスンアイコンをクリックすると、講師用パソコン１１がインターネット１４を介して管理サーバ１３に接続される。
【００４４】
講師用パソコン１１と管理サーバ１３とが接続された後、管理サーバ１３は、当日においてその講師用パソコン１１を使用して行われる予定のレッスンの予定表（時間割）、通信端末特定手段によって特定した受講者用パソコン１２のＩＰアドレス（アドレス）を講師用パソコン１１に送信する（アドレス送信手段）。レッスン予定表には、当日における予約時間（受講日時）、受講場所（受講教室名（地域校識別情報）、パソコン番号（端末特定情報）、ブース番号（ブース識別情報））、予約をした受講者の個人特定情報が含まれる。講師用パソコン１１は、管理サーバ１３から送信された予定表および受講者用パソコン１２のＩＰアドレス（アドレス）を講師用パソコン１１のパソコン番号（端末特定情報）および受付日時に関連付けた状態で記憶領域に記憶する。
【００４５】
各講師は、講師用パソコン１１に表示された予定表によってレッスン時間や受講者を確認する。講師用パソコン１１は、予定表に示すレッスン時間になると、レッスンを受ける受講者が使用する受講者用パソコン１２のＩＰアドレスをディスプレイに表示する。講師がディスプレイに表示されたＩＰアドレスをクリックすると、講師用パソコン１１は、そのＩＰアドレス（アドレス送信手段によって管理サーバ１３から送信されたアドレス）を使用し、そのＩＰアドレスの宛先の受講者用パソコン１２（通信端末特定手段によって特定された受講者用通信端末）にインターネット１４を介して接続する（通信端末接続手段）。
【００４６】
通信端末接続手段では、担当講師が使用する講師用パソコン１１（講師用通信端末）がレッスンの決定された受講日時における受講時間前にＩＰアドレスを使用して特定の受講者用パソコン１２にインターネット１４を介して接続される。したがって、受講生が決められたブースに行くと、そのブースに設置された受講者用パソコン１２に担当講師の映像が映し出されており、レッスンを直ちに始められる状態になっている。
【００４７】
レッスン受講システム１０では、通信端末接続手段によって講師用パソコンに１１接続された特定の受講者用パソコン１２とその講師用パソコン１１との間で音声および映像を双方向に送受信しつつ英会話のレッスンが行われる。なお、レッスンは、一人の担当講師と一人の受講者とのマンツーマンで行われる場合、一人の担当講師と複数の受講者との間で行われる場合がある。
【００４８】
音声および映像を双方向に送受信して行う英会話のレッスンは、Ｐ２Ｐ（ｐｅｅｒ−ｔｏ−ｐｅｅｒ）技術を利用したインターネット電話サービスやｗｅｂ会議、テレビ会議の技術を利用して行われる。担当講師の音声および映像が講師用パソコン１１から受講者用パソコン１２に送信され、担当講師の音声がヘッドセットのスピーカーから発声し、担当講師や板書の映像（動画）が受講者用パソコン１２に接続されたディスプレイに表示される。受講者の音声および映像が受講者用パソコン１２から講師用パソコン１１に送信され、受講者の音声がヘッドセットのスピーカーから発声し、受講者の映像（動画）が講師用パソコン１１に接続されたディスプレイに表示される。
【００４９】
他の一例として、管理サーバ１３は、受講者用パソコン１２を特定した後、特定した講師用パソコン１１のＩＰアドレスを使用してその講師用パソコン１１に接続し、通信端末特定手段によって特定した受講者用パソコン１２のＩＰアドレス（アドレス）を講師用パソコン１１に送信するとともに（アドレス送信手段）、予約日時や受講場所（受講教室名（地域校識別情報）、パソコン番号（端末特定情報）、ブース番号（ブース識別情報））、予約をした受講者の個人特定情報を講師用パソコン１１に送信する。
【００５０】
講師用パソコン１１は、受講者用パソコン１２のＩＰアドレス、予約日時、受講場所（受講教室名（地域校識別情報）、パソコン番号（端末特定情報）、ブース番号（ブース識別情報））、予約をした受講者の個人特定情報を講師用パソコン１１のパソコン番号（端末特定情報）および受付日時に関連付けた状態で記憶領域に記憶するとともに、その講師用パソコン１１を使用して行われるレッスンの予定表（時間割）に予約日時を書き込み、その予定表を更新する。本校に出勤した各講師は、予定表によってレッスン時間や受講者を確認する。
【００５１】
講師用パソコン１１は、予定表に示すレッスン時間になると、レッスンを受ける受講者が使用する受講者用パソコン１２のＩＰアドレスをディスプレイに表示し、ＩＰアドレスがクリックされると、そのＩＰアドレスの宛先の受講者用パソコン１２にインターネット１４を介して接続する（通信端末接続手段）。担当講師が使用する講師用パソコン１１が受講日時における受講時間前にＩＰアドレスを使用して特定の受講者用パソコン１２にインターネット１４を介して接続され、その受講者用パソコン１２とその講師用パソコン１１との間で音声および映像を双方向に送受信しつつ英会話のレッスンが行われる。
【００５２】
レッスン受講システム１０は、受講者から所定のレッスンの予約があった場合、管理サーバ１３が予約されたレッスンに使用される受講者用パソコン１２（受講者用通信端末）を特定するとともに、受講場所（カラオケボックスの各個室や個別指導塾の各ブース）に設置された受講者用パソコン１２のＩＰアドレス（アドレス）を講師用パソコン１１（講師用通信端末）に送信し、講師用パソコン１１が管理サーバ１３から送信されたそのＩＰアドレスを使用しつつ特定の受講者用パソコン１２にインターネット１４を介して接続するから、ＩＤパスワードによる本人認証を行うことなく、講師用パソコン１１と特定の受講者用パソコン１２とがインターネット１３を介して接続され、ＩＤパスワードの割り当てやＩＤパスワードによる認証手続き等の手間を要せず、講師用パソコン１１を受講者用パソコン１２に速やかに接続することができ、レッスン開始時間にカラオケボックスの各個室や個別指導塾の各ブースにおいてレッスンを直ちに始めることができる。
【００５３】
レッスン受講システム１０は、認証手続きが不要であり、レッスン時間が認証時間に浸食されることがないから、レッスン時間の短縮を防ぐことができ、レッスン時間のすべてをレッスンに充当することができるとともに、受講者全員に費用に見合ったレッスンを提供することができる。レッスン受講システム１０は、講師用パソコン１１がレッスンの受講日時における受講時間前にアドレスを使用して特定の受講者用パソコン１２に接続し、レッスン開始時間にレッスンを直ちに開始することができるから、レッスン時間の短縮を防ぐことができ、レッスン時間のすべてをレッスンに充当することができる。
【符号の説明】
【００５４】
１０    レッスン受講システム
１１    講師用パソコン（講師用通信端末）
１２    受講者用パソコン（受講者用通信端末）
１３    管理サーバ
１４    インターネット
【図１】
2018081477.tif 000003
【図２】
2018081477.tif 000004
【図３】
2018081477.tif 000005
【図４】
2018081477.tif 000006
【図５】
2018081477.tif 000007